(57)【要約】【課題】  使用時に鍵盤部を良好に操作でき、非使用時に鍵盤部を収納でき、且つ楽器全体の奥行きを鍵盤部の奥行きよりも小さくでき、楽器全体のコンパクト化が図れる鍵盤楽器を提供する。【解決手段】  奥行きの狭い縦長のほぼ箱形状で横長の鍵盤開口部９が形成された楽器本体１と、楽器本体１内に配置される鍵盤部１２と、この鍵盤部１２を起立横倒可能に取り付けて、鍵盤部１２を楽器本体１内に起立させる第１の状態と鍵盤部１２を横倒させて楽器本体１の前面側に突出させる第２の状態とに回転させる回転連結部１４とを備えた。従って、使用するときに鍵盤部１２をほぼ水平な状態で楽器本体１の前面側に突出させて良好に演奏できる。また、使用しないときに鍵盤部１２を起立させて楽器本体１内にコンパクトに収納できる。このため、楽器全体の奥行きを鍵盤部１２の奥行きよりも小さくでき、これにより楽器全体のコンパクト化を図ることができる。【選択図】        図９
2008209570.tif 000002
【特許請求の範囲】
【請求項１】
奥行きの狭い縦長のほぼ箱形状に形成され、その前面に横長の鍵盤開口部が形成された楽器本体と、
複数の鍵が配列されて前記楽器本体内における前記鍵盤開口部に対応する箇所に配置される鍵盤部と、
この鍵盤部を前記楽器本体内に起立横倒可能に取り付けて、前記鍵盤部を前記楽器本体内に起立させて収納する第１の状態と、前記鍵盤部を横倒させて前記複数の鍵が前記楽器本体内から前記楽器本体の前記鍵盤開口部を通してほぼ水平な状態で前記楽器本体の前面側に突出する第２の状態とに、前記鍵盤部を回転させるための回転連結部と
を備えていることを特徴とする鍵盤楽器。
【請求項２】
前記楽器本体内に設けられて前記楽器本体の前記鍵盤開口部側が開放されたユニットケースを備え、このユニットケース内に前記鍵盤部が前記回転連結部によって起立横倒可能に取り付けられていることを特徴とする請求項１に記載の鍵盤楽器。
【請求項３】
前記回転連結部を中心として前記鍵盤部が前記楽器本体内に起立して収納されたときに、前記鍵盤部の底部が前記楽器本体の前記鍵盤開口部を塞ぐ第１の位置と、前記回転連結部を中心として前記鍵盤部が横倒して前記複数の鍵がほぼ水平な状態で前記楽器本体の前面側に突出する第２の位置とに、前記鍵盤部の回転範囲を規制する回転規制部材を備えていることを特徴とする請求項１または２に記載の鍵盤楽器。
【請求項４】
前記楽器本体の前面における少なくとも前記鍵盤開口部の上部側は、その上部から前記鍵盤開口部に向けて緩やかに湾曲する凸曲面に形成されており、前記鍵盤部の前記底面は、前記楽器本体の前面における前記鍵盤開口部の上部側と同じ曲率の凸曲面に形成されていることを特徴とする請求項１〜３のいずれかに記載の鍵盤楽器。
【請求項５】
前記回転連結部を中心として前記鍵盤部が前記楽器本体に対し回転動作して起立横倒するときに、前記鍵盤部の回転動作を制動する制動部材を備えていることを特徴とする請求項１〜４のいずれかに記載の鍵盤楽器。
【請求項６】
前記鍵盤部における前記鍵の後側に位置する上部に譜面立て支持軸によって起立横倒可能に設けられた譜面立て部材と、
前記回転連結部を中心とする前記鍵盤部の回転動作に連動して前記譜面立て部材を前記鍵盤部に対し起立横倒させる譜面立て連動部材と
を備えていることを特徴とする請求項１〜５のいずれに記載の鍵盤楽器。
【請求項７】
前記譜面立て連動部材は、前記鍵盤部が前記楽器本体内に起立するときに、前記譜面立て部材を前記鍵盤部に重なるように横倒させ、前記鍵盤部が横倒して前記複数の鍵が前記楽器本体の前面側に突出するときに、前記譜面立て部材を前記鍵盤部に対し起立させ、この起立した前記譜面立て部材で前記楽器本体の前記鍵盤開口部を前記鍵盤部と共に塞ぐことを特徴とする請求項６に記載の鍵盤楽器。
【請求項８】
前記譜面立て部材の前面は、前記楽器本体の前面における前記鍵盤開口部の上部側と同じ曲率の凸曲面に形成されていることを特徴とする請求項６または７に記載の鍵盤楽器。
【請求項９】
前記楽器本体の下部に設けられた操作ペダルと、
この操作ペダルの踏み込み動作に連動して前記回転連結部を中心として前記鍵盤部を回転させることにより、前記鍵盤部の起立した上部を前記楽器本体の前面側に突出させるペダル連動部材と
を備えていることを特徴とする請求項１〜８のいずれかに記載の鍵盤楽器。
【発明の詳細な説明】
【技術分野】
【０００１】
この発明は、電子ピアノや電子オルガンなどの鍵盤楽器に関する。
【背景技術】
【０００２】
従来、電子ピアノなどの鍵盤楽器においては、特許文献１に記載されているように、複数の鍵が配列された鍵盤部と、この鍵盤部の両側を支える一対の側板とを備え、鍵盤部の両側面に回転軸とガイド突起とをそれぞれ設け、一対の側板の互いに対向する各内面上部に鍵盤部の回転軸が回転自在に嵌合する軸受け穴と鍵盤部のガイド突起をガイドするガイド溝とをそれぞれ設け、回転軸を中心に鍵盤部を回転させると、鍵盤部のガイド突起が側板のガイド溝によってガイドされることにより、鍵盤部を使用可能な水平状態と使用しない垂直状態とになるように構成したものがある。
【特許文献１】実開平０４−１２４２９３号
【０００３】
すなわち、この種の鍵盤楽器は、使用するときに回転軸を中心に鍵盤部を回転させて、鍵盤部のガイド突起を側板のガイド溝に沿って斜め上側にガイドすることにより、鍵盤部を一対の側板間における上部に水平な状態で配置させ、使用しないときに回転軸を中心に鍵盤部を回転させて、鍵盤部のガイド突起を側板のガイド溝に沿って斜め下側にガイドすることにより、鍵盤部を一対の側板間における上部奥側に垂直な状態で配置させて、鍵盤部を収納するように構成されている。
【発明の開示】
【発明が解決しようとする課題】
【０００４】
しかしながら、このような従来の鍵盤楽器では、鍵盤部の水平な状態における奥行きの幅と側板の奥行きの幅とが同じ大きさであるから、鍵盤部を使用しないときに、鍵盤部を一対の側板間における上部奥側に垂直な状態で配置させて鍵盤部を収納すると、一対の側板が鍵盤部よりも突出した状態になる。このため、鍵盤部を収納しても、鍵盤部の両側を支える一対の側板が邪魔になるばかりか、楽器全体の奥行きが鍵盤部の奥行きよりも小さくならず、楽器全体のコンパクト化を図ることができないという問題がある。
【０００５】
この発明が解決しようとする課題は、使用時に鍵盤部を良好に操作でき、使用しないときに鍵盤部をコンパクトに収納できると共に、楽器全体の奥行きを鍵盤部の奥行きよりも小さくでき、これにより楽器全体のコンパクト化を図ることができる鍵盤楽器を提供することである。
【課題を解決するための手段】
【０００６】
この発明は、上記課題を解決するために、次のような構成要素を備えている。
請求項１に記載の発明は、奥行きの狭い縦長のほぼ箱形状に形成され、その前面に横長の鍵盤開口部が形成された楽器本体と、
複数の鍵が配列されて前記楽器本体内における前記鍵盤開口部に対応する箇所に配置される鍵盤部と、
この鍵盤部を前記楽器本体内に起立横倒可能に取り付けて、前記鍵盤部を前記楽器本体内に起立させて収納する第１の状態と、前記鍵盤部を横倒させて前記複数の鍵が前記楽器本体内から前記楽器本体の前記鍵盤開口部を通してほぼ水平な状態で前記楽器本体の前面側に突出する第２の状態とに、前記鍵盤部を回転させるための回転連結部と
を備えていることを特徴とする鍵盤楽器。
【０００７】
請求項２に記載の発明は、前記楽器本体内に設けられて前記楽器本体の前記鍵盤開口部側が開放されたユニットケースを備え、このユニットケース内に前記鍵盤部が前記回転連結部によって起立横倒可能に取り付けられていることを特徴とする請求項１に記載の鍵盤楽器である。
【０００８】
請求項３に記載の発明は、前記回転連結部を中心として前記鍵盤部が前記楽器本体内に起立して収納されたときに、前記鍵盤部の底部が前記楽器本体の前記鍵盤開口部を塞ぐ第１の位置と、前記回転連結部を中心として前記鍵盤部が横倒して前記複数の鍵がほぼ水平な状態で前記楽器本体の前面側に突出する第２の位置とに、前記鍵盤部の回転範囲を規制する回転規制部材を備えていることを特徴とする請求項１または２に記載の鍵盤楽器である。
【０００９】
請求項４に記載の発明は、前記楽器本体の前面における少なくとも前記鍵盤開口部の上部側が、その上部から前記鍵盤開口部に向けて緩やかに湾曲する凸曲面に形成されており、前記鍵盤部の前記底面は、前記楽器本体の前面における前記鍵盤開口部の上部側と同じ曲率の凸曲面に形成されていることを特徴とする請求項１〜３のいずれかに記載の鍵盤楽器である。
【００１０】
請求項５に記載の発明は、前記回転連結部を中心として前記鍵盤部が前記楽器本体に対し回転動作して起立横倒するときに、前記鍵盤部の回転動作を制動する制動部材を備えていることを特徴とする請求項１〜４のいずれかに記載の鍵盤楽器である。
【００１１】
請求項６に記載の発明は、前記鍵盤部における前記鍵の後側に位置する上部に譜面立て支持軸によって起立横倒可能に設けられた譜面立て部材と、前記回転連結部を中心とする前記鍵盤部の回転動作に連動して前記譜面立て部材を前記鍵盤部に対し起立横倒させる譜面立て連動部材とを備えていることを特徴とする請求項１〜５のいずれに記載の鍵盤楽器である。
【００１２】
請求項７に記載の発明は、前記譜面立て連動部材は、前記鍵盤部が前記楽器本体内に起立するときに、前記譜面立て部材を前記鍵盤部に重なるように横倒させ、前記鍵盤部が横倒して前記複数の鍵が前記楽器本体の前面側に突出するときに、前記譜面立て部材を前記鍵盤部に対し起立させ、この起立した前記譜面立て部材で前記楽器本体の前記鍵盤開口部を前記鍵盤部と共に塞ぐことを特徴とする請求項６に記載の鍵盤楽器である。
【００１３】
請求項８に記載の発明は、前記譜面立て部材の前面が、前記楽器本体の前面における前記鍵盤開口部の上部側と同じ曲率の凸曲面に形成されていることを特徴とする請求項６または７に記載の鍵盤楽器である。
【００１４】
請求項９に記載の発明は、前記楽器本体の下部に設けられた操作ペダルと、この操作ペダルの踏み込み動作に連動して前記回転連結部を中心として前記鍵盤部を回転させることにより、前記鍵盤部の起立した上部を前記楽器本体の前面側に突出させるペダル連動部材とを備えていることを特徴とする請求項１〜８のいずれかに記載の鍵盤楽器である。
【発明の効果】
【００１５】
この発明によれば、鍵盤部を使用するときに、回転連結部を中心として鍵盤部を横倒させて、複数の鍵を楽器本体内から楽器本体の鍵盤開口部を通してほぼ水平な状態で楽器本体の前面側に突出させることにより、鍵盤部の複数の鍵を押鍵操作して良好に演奏することができ、また鍵盤部を使用しないときに、回転連結部を中心として鍵盤部を楽器本体内に起立させることにより、鍵盤部を楽器本体内にコンパクトに収納することができる。このため、楽器全体の奥行きを鍵盤部の水平な状態における奥行きよりも小さくすることができ、これにより楽器全体のコンパクト化を図ることができる。
【発明を実施するための最良の形態】
【００１６】
（実施形態１）
以下、図１〜図１８を参照して、この発明を適用した鍵盤楽器の実施形態１ついて説明する。
この鍵盤楽器は、図１〜図７に示すように、楽器本体１と鍵盤ユニット２とを備えている。楽器本体１は、図７に示すように、背面板３と、この背面板３の両側に設けられた一対の側板４と、この一対の側板４の下面に張り渡された底板５と、一対の側板４の上面に張り渡された天板６と、一対の側板４の前側上部に張り渡された上前板７と、一対の側板４の前側下部に張り渡された下前板８とを備え、上前板７と下前板８との間に横長の鍵盤開口部９（図１、図４、図１２参照）が形成され、全体が奥行きの狭い縦長のほぼ箱形状に形成されている。
【００１７】
この場合、一対の側板４の下面には、図２および図５に示すように、支持足１０が側板４の前方に延出された状態で取り付けられている。この支持足１０は、奥行きの狭い縦長の楽器本体１を安定した状態で支えるためのものであり、細長い帯板状に形成されていることにより、側板４の前方に延出されても邪魔にならないように構成されている。また、一対の側板４は、図２、図５および図７に示すように、上下方向におけるほぼ中間部分の奥行きの幅が最も長く、その上下部の奥行きの幅が次第に短くなるように、側板４の前端面が緩やかに湾曲する凸曲面４ａに形成されている。
【００１８】
これに伴って、上前板７は、図２、図５および図７に示すように、楽器本体１の上端部に位置する上部から楽器本体１の中間部分よりも上側に位置する下部に向けて側板４の凸曲面４ａと同じ曲率で緩やかに湾曲する凸曲面に形成されている。また、下前板８は、図７に示すように、演奏者の邪魔にならないように、その前面が楽器本体１のほぼ中間部分に位置する上部から楽器本体１の下端部に位置する下部に向けて緩やかに湾曲する凹曲面に形成されている。
【００１９】
一方、鍵盤ユニット２は、図７および図８に示すように、楽器本体１内に設けられるユニットケース１１と、複数の鍵１３を有する鍵盤部１２と、ユニットケース１１内に鍵盤部１２を起立横倒可能に取り付けるための回転連結部１４とを備えている。この鍵盤ユニット２は、ユニットケース１１内に鍵盤部１２が回転連結部１４によって起立横倒可能に取り付けられていることにより、鍵盤部１２をユニットケース１１内に起立させて収納する第１の状態と、鍵盤部１２を横倒させて複数の鍵１３をユニットケース１１内から楽器本体１の鍵盤開口部９（図１、図４、図１２参照）を通して水平な状態で楽器本体１の前面側（図２では左側）に突出させる第２の状態とに、鍵盤部１２が回転するように構成されている。
【００２０】
この場合、ユニットケース１１は、図８に示すように、背面板１５と、この背面板１５の両側に設けられた一対の補強板１６と、この一対の補強板１６の下面に張り渡された底板１７と、一対の補強板１６の上面に張り渡された上板１８とを備え、前面側（図８では左面側）が開放された縦長のほぼ箱形状に形成され、図７および図１０に示すように、楽器本体１内における上下方向のほぼ中間部分からその上側に位置し、且つ楽器本体１の鍵盤開口部９に対応して配置されている。
【００２１】
鍵盤部１２は、図２、図３、図８〜図１０に示すように、横方向に長いほぼ箱形状の鍵盤ケース２０と、この鍵盤ケース２０内に配列された複数の鍵１３とを備え、図２に示すように、鍵盤ケース２０がほぼ水平な状態で楽器本体１の前面側に突出して配置されたときに、複数の鍵１３が水平に配列された状態で上方に露出し、図１０に示すように、鍵盤ケース２０が起立して楽器本体１内に収納された状態のときに、複数の鍵１３が起立して楽器本体１の背面板３側に露出するように構成されている。
【００２２】
回転連結部１４は、図８に示すように、ユニットケース１１の一対の補強板１６における下部側の前端部に設けられた軸取付孔２１と、ほぼ水平な状態の鍵盤ケース２０の後端下部（図９では右側下部）、言い換えれば起立した状態の鍵盤ケース２０の前側下部（図８では左側下部）に設けられた軸受け部２２と、補強板１６の外側から軸取付孔２１に挿入されて鍵盤ケース２０の軸受け部２２内に回転自在に挿入される支持軸２３とからなり、図９〜図１２に示すように、支持軸２３を中心として鍵盤部１２が上下方向に回転するように構成されている。
【００２３】
すなわち、鍵盤部１２は、その軸受け部２２が補強板１６における下部側の前端部に位置する軸取付孔２１に対応した状態で、回転連結部１４の支持軸２３によって回転可能に支持されていることにより、図９に示すように、回転連結部１４の支持軸２３を中心として鍵盤ケース２０が反時計回りに回転すると、鍵盤ケース２０が横倒して複数の鍵１３がユニットケース１１から楽器本体１の鍵盤開口部９を通してほぼ水平な状態で楽器本体１の前面側に突出するように構成されている。
【００２４】
また、この鍵盤部１２は、図１０に示すように、回転連結部１４の支持軸２３を中心として鍵盤ケース２０が時計回りに回転すると、鍵盤ケース２０がユニットケース１１内に起立して収納されると共に、鍵盤部１２の底面が楽器本体１の鍵盤開口部９を塞ぐように構成されている。この場合、鍵盤部１２の底面つまり鍵盤ケース２０の底面２０ａは、図１０に示すように、楽器本体１の前面つまり楽器本体１の側板４における前端面の凸曲面４ａおよび上前板７の前面と同じ曲率で緩やかに湾曲する凸曲面に形成されている。
【００２５】
また、鍵盤ユニット２は、図９〜図１４に示すように、鍵盤部１２の回転範囲を規制する回転規制部材２４を備えている。この回転規制部材２４は、図９に示すように、ほぼ水平な状態の鍵盤ケース２０の後部（図９では右側部）から突出した取付突起部２５の両側面（図９では紙面の表裏側の面）におけるほぼ中間部にそれぞれ設けられたストッパーピン２６と、ユニットケース１１の一対の補強板１６における各内面にそれぞれ設けられてストッパーピン２６が移動可能に挿入すると共に、そのストッパーピン２６の移動範囲を規制する規制溝２７とを備えている。
【００２６】
すなわち、規制溝２７は、図１３、図１４および図１５に示すように、回転連結部１４の軸取付孔２１を中心とする同心円上に形成され、鍵盤部１２が反時計回りに回転し、図９に示すように、鍵１３がほぼ水平な状態で楽器本体１の前面側（図９では左側）に突出したときに、鍵盤ケース２０のストッパーピン２６が規制溝２７内の上端部２７ａに当接して鍵盤部１２の回転位置を規制し、また鍵盤部１２が時計回りに回転して楽器本体１内に起立し、図１０に示すように、鍵盤ケース２０の底面２０ａが楽器本体１の鍵盤開口部９を塞いだときに、鍵盤ケース２０のストッパーピン２６が規制溝２７内の下端部２７ｂに当接して鍵盤部１２の回転位置を規制するように構成されている。
【００２７】
また、この鍵盤ユニット２は、図９〜図１４に示すように、鍵盤部１２の回転動作を制動する制動部材２８を備えている。この制動部材２８は、図９〜図１５に示すように、鍵盤ケース２０の取付突起部２５の両側面におけるストッパーピン２６の両側に位置して設けられた第１、第２ダンパ軸３０、３１と、この第１、第２ダンパ軸３０、３１に取り付けられた第１、第２ピニオンギア３２、３３と、ユニットケース１１の一対の補強板１６における各内面にそれぞれ設けられて第１、第２ピニオンギア３２、３３が噛み合って転動する第１、第２ラックギア溝３４、３５とを備えている。
【００２８】
すなわち、第１、第２ダンパ軸３０、３１は、ダンパ機能部を有する軸であり、第１、第２ピニオンギア３２、３３に負荷を与えてその回転を制動するように構成されている。また、第１、第２ラックギア溝３４、３５は、図１３、図１４および図１５に示すように、回転規制部材２４の規制溝２７と同様、回転連結部１４の軸取付孔２１を中心とする同心円上に形成されている。この場合、第１ラックギア溝３４は、その半径が回転規制部材２４の規制溝２７よりも短く形成され、回転連結部１４の支持軸２３側に位置する内面にラック歯が設けられている。また、第２ラックギア溝３５は、その半径が回転規制部材２４の規制溝２７よりも長く形成され、回転連結部１４の支持軸２３と反対側に位置する内面にラック歯が設けられている。
【００２９】
これにより、制動部材２８は、図１３〜図１５に示すように、鍵盤部１２が回転連結部１４の支持軸２３に上下方向に回転するときに、第１、第２ピニオンギア３２、３３が第１、第２ラックギア溝３４、３５に噛み合って転動すると共に、第１、第２ダンパ軸３０、３１によって第１、第２ピニオンギア３２、３３に負荷が加えられていることにより、鍵盤部１２がその自重によって勝手に回転せず、鍵盤部１２が任意の回転位置に停止するように、鍵盤部１２の回転動作を制動する構成になっている。
【００３０】
この場合、第１、第２ラックギア溝３４、３５は、回転規制部材２４の規制溝２７の深さよりも少し浅く形成されている。これにより、規制溝２７と第２ラックギア溝３５とは、その一部が相互に重なり合っても、ストッパーピン２６と第２ピニオンギア３３とが互いに干渉せずにガイドするように構成されている。また、この制動部材２８は、第１ラックギア溝３４が支持軸２３側に位置する内面にラック歯が設けられ、第２ラックギア溝３５が支持軸２３と反対側に位置する内面にラック歯が設けられていることにより、鍵盤部１２が回転動作するときに、鍵盤部１２の前後方向のガタツキを防ぐように構成されている。
【００３１】
ところで、鍵盤部１２における鍵１３の後側に位置する上部、つまりほぼ水平な状態の鍵盤ケース２０における後側の上面には、図８〜図１２に示すように、譜面立て部材３６が譜面立て支持軸３７によって起立横倒可能に取り付けられている。この譜面立て部材３６は、図８に示すように、横長のほぼ平板状に形成され、図９および図１０に示すように、譜面立て支持軸３７によって鍵盤部１２の後部上面に回転可能な状態で取り付けられ、譜面立て連動部材３８によって鍵盤部１２の回転連結部１４を中心とする鍵盤部１２の回転動作に連動して起立横倒するように構成されている。
【００３２】
すなわち、譜面立て連動部材３８は、図８〜図１３、図１６に示すように、譜面立て支持軸３７と反対側に位置する譜面立て部材３６の先端部における両側に設けられたガイドピン３９と、ユニットケース１１の一対の補強板１６に設けられてガイドピン３９をガイドする譜面立てガイド溝４０とを備えている。この場合、譜面立てガイド溝４０は、図１３に示すように、補強板１６の前側上部（図１３では左側上部）から補強板１６の前端面に沿って降下する立上り溝部４０ａと、この立上り溝部４０ａの下端部から補強板１６の奥側（図１３では右側）に向けて緩やかに傾斜する傾斜溝部４０ｂとからなり、これらが連続してガイドピン３９をガイドするように構成されている。
【００３３】
これにより、譜面立て連動部材３８は、図９および図１０に示すように、楽器本体１の前面側に突出した状態の鍵盤部１２が楽器本体１内に起立して収納されるときに、楽器本体１の鍵盤開口部９を塞いでいる譜面立て部材３６のガイドピン３９を譜面立てガイド溝４０における立上り溝部４０ａ内の上部から下部にガイドした後、譜面立てガイド溝４０における傾斜溝部４０ｂ内の前側上部（図１０では左側上部）から奥側下部（図１０では右側下部）にガイドすることにより、譜面立て部材３６を鍵盤部１２に向けて横倒させて鍵盤部１２に重ねるように構成されている。
【００３４】
また、この譜面立て連動部材３８は、図９および図１０に示すように、楽器本体１内に起立して収納された状態の鍵盤部１２が横倒して鍵盤部１２の上部が楽器本体１の前面側に突出するときに、鍵盤部１２に重なっている状態の譜面立て部材３６のガイドピン３９を譜面立てガイド溝４０における傾斜溝部４０ｂの奥側下部（図１０では右側下部）から前側上部（図１０では左側上部）にガイドした後、譜面立てガイド溝４０における立上り溝部４０ａの下部から上部にガイドすることにより、譜面立て部材３６を鍵盤部１２に対し起立させ、この起立した譜面立て部材３６で楽器本体１の鍵盤開口部９を鍵盤部１２と共に塞ぐように構成されている。
【００３５】
この場合、譜面立て部材３６は、図８および図９に示すように、その前面３６ａが楽器本体１の前面、つまり楽器本体１の側板４における前端面の凸曲面４ａおよび上前板７の前面と同じ曲率で緩やかに湾曲する凸曲面に形成されている。また、この譜面立て部材３６の前面３６ａには、図８および図９に示すように、譜面台４１が折り畳み可能に取り付けられている。すなわち、この譜面台４１は、図８および図９に示すように、使用しないときに、譜面立て部材３６の前面３６ａに折り畳まれて密接し、使用するときに、図９に２点鎖線で示すように、起立した譜面立て部材３６の前面３６ａにほぼ直角に起立してほぼ水平な状態で配置されるように構成されている。
【００３６】
また、この譜面立て部材３６の先端部における中間部分には、図８に示すように、２つの補助ガイドローラ４２が設けられている。この補助ガイドローラ４２は、図８および図１７に示すように、譜面立て部材３６の先端部に設けられた一対のローラ支持部４２ａに１本のローラ軸４２ｂを取り付け、一対のローラ支持部４２ａ間に位置するローラ軸４２ｂに回転自在に取り付けられている。これにより、補助ガイドローラ４２は、鍵盤部１２の回転動作に伴って譜面立て部材３６が起立横倒するときに、ユニットケース１１の背面板１５に設けられたガイドカム４３に沿ってガイドされることにより、譜面立て部材３６が横長に形成されていても、譜面立て部材３６の中間部分の撓みを防ぐように構成されている。
【００３７】
一方、楽器本体１の下部には、図１および図４に示すように、複数のフットペダル４４と、１つの操作ペダル４５とが設けられている。複数のフットペダル４４は、鍵盤部１２の鍵盤操作時における楽音の音量、ビブラートなどの楽音効果を付加するためのものである。操作ペダル４５は、図９〜図１２に示すように、その踏み込み動作に応じて回転連結部１４を中心に鍵盤部１２を回転させることにより、起立した状態の鍵盤部１２の上部を楽器本体１の前面側に突出させるペダル連動部材４６とを備えている。
【００３８】
すなわち、このペダル連動部材４６は、図９〜図１２および図１８に示すように、操作ペダル４５の奥端部（図９では右端部）に取り付けられて上下方向に移動する連結棒４７と、この連結棒４７に取り付けられて鍵盤部１２の鍵盤ケース２０を回転させる回転アーム部４８とを備えている。この場合、連結棒４７は、その下端部が操作ペダル４５の奥端部（図１０では右端部）に第１連結ピン４９によって回転可能に取り付けられ、上端部が回転アーム部４８の第１アーム４８ａに第２連結ピン５０によって回転自在に取り付けられ、操作ペダル４５が踏み込まれたときに、上方に移動するように構成されている。
【００３９】
回転アーム部４８は、図１８に示すように、前側下方（同図では左下側）に向けて斜めに延びる第１アーム４８ａと、前側上方（同図では左上側）に向けて斜めに延びる第２アーム４８ｂとからなり、その中間部分がアーム支持軸５１によってユニットケース１１の底板１７に上下方向に回転自在に取り付けられ、この状態で楽器本体１内に起立した鍵盤部１２の鍵盤ケース２０における取付突起部２５の前側下部（図１０では左側下部）に第２アーム４８ｂの上部側が対応するように構成されている。この場合、回転アーム部４８は、ユニットケース１１の底板１７に設けられた切欠部内にその上下に位置した状態で配置され、この状態で底板１７に取り付けられている。
【００４０】
これにより、回転アーム部４８は、図１１に示すように、操作ペダル４５が踏み込まれて連結棒４７が上方に移動すると、第１アーム４８ａが押し上げられるので、アーム支持軸５１を中心に時計回りに回転し、これに伴って第２アーム４８ｂが鍵盤ケース２０の取付突起部２５を楽器本体１内の奥側（図１０では右側）に向けて押すことにより、回転連結部１４を中心として鍵盤部１２を起立した状態から少し前側に傾いた状態に横倒させるように構成されている。
【００４１】
次に、このような鍵盤楽器の作用について説明する。
この鍵盤楽器を使用する場合には、まず、図１１に示すように、操作ペダル４５を踏み込む。すると、操作ペダル４５の奥端部が連結棒４７を上方に押し上げるので、回転アーム部４８の第１アーム４８ａが押し上げられる。これにより、回転アーム部４８が図１８に２点鎖線で示すようにアーム支持軸５１を中心に時計回りに回転し、これに伴って回転アーム部４８の第２アーム４８ｂが鍵盤ケース２０の取付突起部２５を楽器本体１内の奥側に向けて押すので、図１１に示すように、回転連結部１４を中心として鍵盤部１２が起立状態から少し前側に傾いた状態に横倒し、起立した状態の鍵盤部１２の上部が楽器本体１の前側に少し突出する。
【００４２】
この状態で、楽器本体１の前面側に少し突出した鍵盤部１２の上部を手で手前側に押し下げると、図１２に示すように、鍵盤部１２が回転連結部１４の支持軸２３を中心として反時計回りに回転し、図９に示すように、鍵盤部１２が横倒して複数の鍵１３が楽器本体１内から楽器本体１の鍵盤開口部９を通して楽器本体１の前面側に突出する。このときには、制動部材２８によって鍵盤部１２の回転動作が制動されると共に、鍵盤部１２が回転規制部材２４によって回転範囲が規制されるほか、譜面立て部材３６が鍵盤部１２に対し起立する。
【００４３】
すなわち、制動部材２８は、鍵盤部１２が横倒するときに、図１４に示すように、第１、第２ピニオンギア３２、３３が第１、第２ラックギア溝３４、３５に噛み合って転動すると共に、第１、第２ダンパ軸３０、３１によって第１、第２ピニオンギア３２、３３に負荷が加えられることにより、鍵盤部１２がその自重によって勝手に回転することがなく、鍵盤部１２を任意の回転位置に停止させるように、鍵盤部１２の回転動作を制動するので、軽い力でゆっくり鍵盤部１２を下方に向けて回転させることができる。
【００４４】
また、回転規制部材２４は、鍵盤部１２が楽器本体１の前面側に突出して横倒するときに、鍵盤ケース２０の一対の取付突起部２５に設けられたストッパーピン２６が、ユニットケース１１の一対の補強板１６に設けられた規制溝２７内に沿って上側に移動し、鍵盤部１２の複数の鍵１３が楽器本体１の鍵盤開口部９を通してほぼ水平な状態で楽器本体１の前面側に突出したときに、図９に示すように、鍵盤ケース２０のストッパーピン２６が補強板１６の規制溝２７内の上端部２７ａに当接し、これにより鍵盤部１２の回転位置を規制する。
【００４５】
また、このときには、譜面立て部材３６が譜面立て連動部材３８によって起立する。すなわち、鍵盤部１２が回転連結部１４の支持軸２３を中心として反対時計回りに回転すると、図１１および図１２に示すように、譜面立て部材３６の先端部に設けられたガイドピン３９がユニットケース１１の補強板１６に設けられた譜面立てガイド溝４０の傾斜溝部４０ｂ内に沿って前側上部に向けて移動した後、譜面立てガイド溝４０の立上り溝部４０ａ内に沿って上方に移動する。これに伴って、譜面立て部材３６が譜面立て支持軸３７を中心に回転して鍵盤部１２に対し起立し、鍵盤部１２の鍵１３がほぼ水平な状態で楽器本体１の前面側に突出したときに、図９に示すように、譜面立て部材３６が鍵盤部１２と共に楽器本体１の鍵盤開口部９を塞ぐ。
【００４６】
このように、鍵盤部１２が横倒すると、複数の鍵１３が楽器本体１内から楽器本体１の鍵盤開口部９を通してほぼ水平な状態で楽器本体１の前面側に突出するので、鍵盤１２を良好に押鍵して演奏することができる。このときには、譜面立て部材３６が鍵盤部１２に対し起立して楽器本体１の鍵盤開口部９を鍵盤部１２と共に塞いでいるので、鍵盤開口部９から楽器本体１内に塵埃などの異物が侵入するのを防ぐことができる共に、楽器本体１の全体が外観的に好ましいものになるほか、この状態で譜面立て部材３６の前面３６ａに設けられた譜面台４１を起こして譜面を立て掛けることにより、譜面を見ながら良好に演奏することができる。
【００４７】
一方、鍵盤部１２を収納するときには、楽器本体１の前面側に突出した鍵盤部１２の手前側を押し上げる。すると、鍵盤部１２が回転連結部１４の支持軸２３を中心として上記とは逆の時計回りに回転し、図１０に示すように、鍵盤部１２が楽器本体１内に起立する。このときにも、制動部材２８によって鍵盤部１２の回転が制動されると共に、回転規制部材２４によって鍵盤部１２の回転位置が規制されるほか、譜面立て部材３６が鍵盤部１２に重なるように折り畳まれる。
【００４８】
すなわち、制動部材２８は、鍵盤部１２が起立するときにも、図１４に示すように、第１、第２ピニオンギア３２、３３が第１、第２ラックギア溝３４、３５に噛み合って転動すると共に、第１、第２ダンパ軸３０、３１によって第１、第２ピニオンギア３２、３３に負荷が加えられることにより、鍵盤部１２がその自重によって勝手に回転することがなく、鍵盤部１２を任意の回転位置に停止させるように、鍵盤部１２の回転動作を制動するので、鍵盤部１２を押し上げるときにも、軽い力でゆっくり鍵盤部１２を上方に回転させることができる。
【００４９】
また、回転規制部材２４は、鍵盤部１２が起立するときに、鍵盤ケース２０のストッパーピン２６が、ユニットケース１１の補強板１６の規制溝２７内に沿って下側に移動し、図１０に示すように、鍵盤部１２が楽器本体１内に起立して収納されるときに、鍵盤ケース２０のストッパーピン２６が補強板１６の規制溝２７内の下端部２７ｂに当接し、これにより鍵盤部１２の回転位置を規制する。この状態では、鍵盤ケース２０の底面２０ａが楽器本体１の鍵盤開口部９を塞ぎ、鍵盤開口部９から楽器本体１内に塵埃などの異物が侵入するのを防ぐことができる。
【００５０】
また、このときには、譜面立て部材３６が譜面立て連動部材３８によって折り畳まれる。すなわち、鍵盤部１２が回転連結部１４の支持軸２３を中心として時計回りに回転すると、譜面立て部材のガイドピン３９がユニットケース１１の補強板１６に設けられた譜面立てガイド溝４０の立上り溝部４０ａ内に沿って下方に向けて移動した後、譜面立てガイド溝４０の傾斜溝部４０ｂ内に沿って奥側に向けて移動する。これに伴って、譜面立て部材３６が譜面立て支持軸３７を中心に回転して横倒し、鍵盤部１２が楽器本体１内に起立して収納されると、譜面立て部材３６が鍵盤部１２に重なる。
【００５１】
また、譜面立て部材３６が鍵盤部１２に重なって鍵盤ケース２０の底面２０ａが楽器本体１の鍵盤開口部９を塞ぐときには、鍵盤ケース２０の取付突起部２５がペダル連動部材４６における回転アーム部４８の第２アーム４８ｂを楽器本体１の前側に向けて押すので、回転アーム部４８がアーム支持軸５１を中心として回転し、これに伴って回転アーム部４８の第１アーム４８ａが図９に示すように連結棒４７を押し下げ、操作ペダル４５をほぼ水平な初期位置に戻す。
【００５２】
このように、この鍵盤楽器によれば、奥行きの狭い縦長のほぼ箱形状に形成され、その前面におけるほぼ中間部の上側に横長の鍵盤開口部９が形成された楽器本体１と、複数の鍵１３が配列されて楽器本体１内における鍵盤開口部９に対応する箇所に配置される鍵盤部１２と、この鍵盤部１２を楽器本体１内に起立横倒可能に取り付けて、鍵盤部１２を楽器本体１内に起立させて収納する第１の状態、および鍵盤部１２を横倒させて複数の鍵１３が楽器本体１内から鍵盤開口部９を通してほぼ水平な状態で楽器本体１の前面側に突出する第２の状態に、鍵盤部１２を回転させるための回転連結部１４とを備えていることにより、楽器全体のコンパクト化を図ることができる。
【００５３】
すなわち、鍵盤部１２を使用するときには、回転連結部１４を中心として鍵盤部１２を横倒させて複数の鍵１３を楽器本体１内から鍵盤開口部９を通してほぼ水平な状態で楽器本体１の前面側に突出させることにより、鍵盤部１２の複数の鍵１３を押鍵操作して良好に演奏することができる。また、鍵盤部１２を使用しないときには、回転連結部１４を中心として鍵盤部１２を楽器本体１内に起立させることにより、鍵盤部１２を楽器本体１内にコンパクトに収納することができる。このため、楽器本体１の奥行きを鍵盤部１２の水平な状態における奥行きよりも小さくすることができ、これにより楽器全体のコンパクト化を図ることができる。
【００５４】
この場合、楽器本体１内には、その鍵盤開口部９側が開放されたユニットケース１１が設けられ、このユニットケース１１内に、鍵盤部１２が回転連結部１４によって起立横倒可能に取り付けられ、これにより鍵盤ユニット２を構成しているので、鍵盤部１２および回転連結部１４のユニット化を図ることができる。このため、ユニットケース１１内に鍵盤部１２を回転連結部１４によって起立横倒可能に取り付け、この状態でユニットケース１１を楽器本体１内に組み込むことができるので、組立て作業性が良く、生産性の高いものを得ることができる。
【００５５】
また、この鍵盤楽器によれば、回転連結部１４の支持軸２３を中心として鍵盤部１２が楽器本体１内に起立して収納されたときに、鍵盤部１２の底部である鍵盤ケース２０の底面２０ａが楽器本体１の鍵盤開口部９を塞ぐ第１の位置と、回転連結部１４の支持軸２３を中心として鍵盤部１２が横倒して複数の鍵１３がほぼ水平な状態で楽器本体１の前面側に突出する第２の位置とに、鍵盤部１２の回転範囲を規制する回転規制部材２４を備えているので、鍵盤部１２を第１、第２の所定位置に確実に且つ良好に位置規制することができる。
【００５６】
すなわち、この回転規制部材２４は、鍵盤ケース２０の取付突起部２５に設けられたストッパーピン２６と、ユニットケース１１の一対の補強板１６に設けられてストッパーピン２６の移動範囲を規制する規制溝２７とを備え、この規制溝２７が回転連結部１４の支持軸２３を中心とする同心円上に形成された構成であるから、鍵盤部１２が反時計回りに回転して鍵１３がほぼ水平な状態で楽器本体１の前面側に突出したときに、鍵盤ケース２０のストッパーピン２６が規制溝２７内の上端部２７ａに当接することにより、鍵盤部１２の回転位置を正確に且つ確実に規制することができる。
【００５７】
また、鍵盤部１２が時計回りに回転して楽器本体１内に起立し、鍵盤ケース２０の底面２０ａが楽器本体１の鍵盤開口部９を塞いだときには、鍵盤ケース２０のストッパーピン２６が規制溝２７内の下端部２７ｂに当接することにより、鍵盤部１２の回転位置を正確に且つ確実に規制することができる。これにより、鍵盤部１２を使用しないときには、楽器本体１の鍵盤開口部９を鍵盤部１２の底部である鍵盤ケース２０の底面２０aで確実に塞ぐことができるので、塵埃などの異物が鍵盤開口部９から楽器本体１内に侵入するのを防ぐことができる。
【００５８】
この場合、楽器本体１の前面における鍵盤開口部９の上部側、つまり楽器本体１の側板４における前端面の凸曲面４ａおよび上前板７の前面が、その上部から鍵盤開口部９に向けて緩やかに湾曲する凸曲面に形成されており、鍵盤部１２の底部である鍵盤ケース２０の底面２０ａが、楽器本体１の前面における鍵盤開口部９の上部側と同じ曲率の凸曲面に形成されていることにより、鍵盤部１２が回転して楽器本体１内に起立し、鍵盤ケース２０の底面２０ａが楽器本体１の鍵盤開口部９を塞いだときに、鍵盤ケース２０の底面２０ａの凸曲面が楽器本体１の前面の凸曲面と同じ曲面で連続するので、鍵盤ケース２０の底面２０ａと楽器本体１の前面とが一体的な凸曲面になり、これにより外観的にもデザイン的にも好ましいものを得ることができる。
【００５９】
また、この鍵盤楽器によれば、回転連結部１４の支持軸２３を中心として鍵盤部１２が楽器本体１に対し回転動作して起立横倒するときに、鍵盤部１２の回転動作を制動する制動部材２８を備えていることにより、回転連結部１４の支持軸２３を中心として鍵盤部１２が回転するときに、鍵盤部１２がその自重によって勝手に回転することがなく、鍵盤部１２の回転動作を制動することができるので、軽い力でゆっくり鍵盤部１２を上下方向に回転させることができ、これにより鍵盤部１２を安全に起立横倒させることができる。
【００６０】
すなわち、この制動部材２８は、鍵盤ケース２０の取付突起部２５に設けられた第１、第２ダンパ軸３０、３１と、この第１、第２ダンパ軸３０、３１に取り付けられた第１、第２ピニオンギア３２、３３と、ユニットケース１１の一対の補強板１６における各内面にそれぞれ設けられて第１、第２ピニオンギア３２、３３が噛み合って転動する第１、第２ラックギア溝３４、３５とを備えているので、鍵盤部１２が回転連結部１４の支持軸２３を中心に回転するときに、第１、第２ピニオンギア３２、３３が第１、第２ラックギア溝３４、３５に噛み合って転動すると共に、第１、第２ダンパ軸３０、３１によって第１、第２ピニオンギア３２、３３に負荷を加えることができる。
【００６１】
これにより、制動部材２８は、第１、第２ピニオンギア３２、３３が第１、第２ラックギア溝３４、３５に噛み合って転動するときに、第１、第２ダンパ軸３０、３１によって第１、第２ピニオンギア３２、３３に負荷が加えられるので、鍵盤部１２が横倒するときにも、鍵盤部１２が起立するときにも、鍵盤部１２がその自重によって勝手に回転することがなく、鍵盤部１２を任意の回転位置に停止させるように、鍵盤部１２の回転動作を制動することができ、これにより軽い力でゆっくり鍵盤部１２を回転させることができるので、鍵盤部１２をより安全に起立横倒させることができる。
【００６２】
また、この鍵盤楽器によれば、鍵盤部１２における鍵１３の後側に位置する上部に譜面立て支持軸３７によって起立横倒可能に設けられた譜面立て部材３６と、回転連結部１４の支持軸２３を中心とする鍵盤部１２の回転動作に連動して譜面立て部材３６を鍵盤部１２に対し起立横倒させる譜面立て連動部材３８とを備えていることにより、鍵盤部１２の回転動作に連動して譜面立て連動部材３８が譜面立て部材３６を自動的に鍵盤部１２に対し起立横倒させることができる。
【００６３】
すなわち、譜面立て連動部材３８は、鍵盤部１２が楽器本体１内に起立するときに、譜面立て部材３６を鍵盤部１２に重なるように横倒させ、鍵盤部１２が横倒して複数の鍵１３が楽器本体１の前面側に突出するときに、譜面立て部材３６を鍵盤部１２に対し起立させ、この起立した譜面立て部材３６で楽器本体１の鍵盤開口部９を鍵盤部１２と共に塞ぐので、使い勝手が良いばかりか、鍵盤部１２を使用するときに、塵埃などの異物が鍵盤開口部９から楽器本体１内に侵入するのを防ぐことができる。
【００６４】
この場合、譜面立て連動部材３８は、譜面立て支持軸３７と反対側に位置する譜面立て部材３６の先端部に設けられたガイドピン３９と、ユニットケース１１の補強板１６に設けられてガイドピン３９をガイドする譜面立てガイド溝４０とを備え、譜面立てガイド溝４０が、補強板１６の上部から補強板１６の前端面に沿って降下する立上り溝部４０ａと、この立上り溝部４０ａの下端部から補強板１６の奥側に向けて緩やかに傾斜する傾斜溝部４０ｂとからなり、これらが連続してガイドピン３９をガイドするように構成されているので、譜面立て部材３６を鍵盤部１２の回転動作に連動して円滑に且つ確実に起立横倒させることができる。
【００６５】
すなわち、譜面立て連動部材３８は、鍵盤部１２が楽器本体１内に起立して収納されるときに、譜面立て部材３６のガイドピン３９を譜面立てガイド溝４０における立上り溝部４０ａ内の上部から下部にガイドした後、譜面立てガイド溝４０における傾斜溝部４０ｂ内の前側上部から奥側下部にガイドすることにより、譜面立て部材３６を鍵盤部１２に対して確実に且つ円滑に横倒させて、譜面立て部材３６を鍵盤部１２に重ねることができる。
【００６６】
また、鍵盤部１２の鍵１３が楽器本体１の前面側に突出するときには、譜面立て部材３６のガイドピン３９を譜面立てガイド溝４０における傾斜溝部４０ｂ内の奥側下部から前側上部にガイドした後、譜面立てガイド溝４０における立上り溝部４０ａ内の下部から上部にガイドすることにより、譜面立て部材３６を鍵盤部１２に対し確実に且つ円滑に起立させることができると共に、この起立した譜面立て部材３６によって楽器本体１の鍵盤開口部９を鍵盤部１２と共に正確に且つ確実に塞ぐことができる。
【００６７】
この場合、譜面立て部材３６の前面３６ａが、楽器本体１の前面つまり楽器本体１の側板４における前端面の凸曲面４ａおよび上前板７の前面と同じ曲率の凸曲面に形成されていることにより、譜面立て部材３６が起立して楽器本体１の鍵盤開口部９を鍵盤部１２と共に塞いだときに、譜面立て部材３６の前面の凸曲面が楽器本体１の前面の凸曲面と同じ曲面で連続するので、譜面立て部材３６の前面３６ａと楽器本体１の前面とが一体的な凸曲面になり、これによっても外観的にもデザイン的にも好ましいものを得ることができる。
【００６８】
さらに、この鍵盤楽器によれば、楽器本体１の下部に設けられた操作ペダル４５と、この操作ペダル４５の踏み込み動作に連動して回転連結部１４の支持軸２３を中心として鍵盤部１２を回転させることにより、起立した状態の鍵盤部１２の上部を楽器本体１の前面側に突出させるペダル連動部材４６とを備えていることにより、操作ペダル４５を踏み込むだけで、楽器本体１内に起立して収納された鍵盤部１２の上部を楽器本体１の手前側に突出させることができ、これにより鍵盤部１２が鍵盤開口部９を塞いでいても、容易に且つ良好に鍵盤部１２を横倒させて楽器本体１の前面側に突出させることができる。
【００６９】
この場合、ペダル連動部材４６は、操作ペダル４５の奥端部に取り付けられて上下方向に移動する連結棒４７と、この連結棒４７に取り付けられて鍵盤部１２の鍵盤ケース２０を回転させる回転アーム部４８とを備え、回転アーム部４８が、前側下方に向けて斜めに延びる第１アーム４８ａと、前側上方に向けて斜めに延びる第２アーム４８ｂとからなり、その中間部分がアーム支持軸５１によってユニットケース１１の底部１７に回転自在に取り付けられているので、操作ペダル４５を踏み込むと、連結棒４７が上方に移動して第１アーム４８ａを押し上げ、これに伴ってアーム支持軸５１を中心に回転アーム部４８が回転して第２アーム４８ｂが鍵盤ケース２０の取付突起部２５を押すことにより、確実に且つ容易に回転連結部１４の支持軸２３を中心として鍵盤部１２を起立状態から少し前側に傾けることができる。
【００７０】
（実施形態２）
次に、図１９〜図２３を参照して、この発明を適用した鍵盤楽器の実施形態２について説明する。なお、図１〜図１８に示された実施形態１と同一部分には同一符号を付して説明する。
この鍵盤楽器は、楽器本体１内に直接、鍵盤部１２を回転連結部１４により起立横倒可能に取り付けた構成であり、これ以外は実施形態１とほぼ同じ構成になっている。
【００７１】
すなわち、楽器本体１の両側に位置する一対の側板４の内面には、図１９、図２０および図２２に示すように、それぞれ鍵盤取付部材６０と譜面立て取付部材６１とがそれぞれ埋め込まれている。鍵盤取付部材６０は、アルミダイカストなどの金属からなり、ビス６２によって楽器本体１の側板４内に埋め込まれた状態で取り付けられている。この鍵盤取付部材６０の所定箇所には、図２０および図２１に示すように、回転連結部１４の支持軸２３を回転自在に支持する軸取付穴６３が設けられており、この軸取付穴６３を中心とする同心円上には、図２０〜図２２に示すように、回転規制部材２４の規制溝６４が設けられていると共に、制動部材２８の第１、第２ラックギア６５、６６が設けられている。
【００７２】
この場合、回転規制部材２４の規制溝６４は、実施形態１と同様、鍵盤部１２が反時計回りに回転して鍵１３がほぼ水平な状態で楽器本体１の前面側に突出したときに、鍵盤ケース２０のストッパーピン２６が規制溝６４内の上端部６４ａに当接して鍵盤部１２の回転位置を規制し、また鍵盤部１２が時計回りに回転して楽器本体１内に起立し、鍵盤ケース２０の底面２０ａが楽器本体１の鍵盤開口部９を塞いだときに、鍵盤ケース２０のストッパーピン２６が規制溝６４内の下端部６４ｂに当接して鍵盤部１２の回転位置を規制するように構成されている。
【００７３】
また、制動部材２８の第１、第２ラックギア６５、６６は、回転規制部材２４の規制溝２７と同様、回転連結部１４の軸取付穴６３を中心とする同心円上に形成されている。この場合にも、第１ラックギア溝６５は、その半径が回転規制部材２４の規制溝６４よりも短く形成され、回転連結部１４の軸取付穴６３側に位置する内面にラック歯が設けられている。また、第２ラックギア溝６６は、その半径が回転規制部材２４の規制溝６４よりも長く形成され、回転連結部１４の軸取付孔６３と反対側に位置する内面にラック歯が設けられている。
【００７４】
これにより、制動部材２８は、実施形態１と同様、鍵盤部１２が回転連結部１４の支持軸２３に上下方向に回転するときに、第１、第２ピニオンギア３２、３３が第１、第２ラックギア溝６５、６６に噛み合って転動すると共に、第１、第２ダンパ軸３０、３１によって第１、第２ピニオンギア３２、３３に負荷が加えられていることにより、鍵盤部１２がその自重によって勝手に回転することがなく、鍵盤部１２を任意の回転位置に停止させるように、鍵盤部１２の回転動作を制動する構成になっている。
【００７５】
一方、譜面立て取付部材６１も、アルミダイカストなどの金属からなり、全体が「く」の字形状に形成され、ビス６２によって楽器本体１の側板４内に埋め込まれた状態で取り付けられている。この譜面立て取付部材６１には、譜面立て連動部材３８の譜面立てガイド溝６７が設けられている。この譜面立てガイド溝６７は、図２０および図２３に示すように、譜面立て取付部材６１の前側上部（図２０では左側上部）から譜面立て取付部材６１の前端面に沿って降下する立上り溝部６７ａと、この立上り溝部６７ａの下端部から譜面立て取付部材６１の奥側（図２０では右側）に向けて緩やかに傾斜する傾斜溝部６７ｂとからなり、これらが連続して譜面立て部材３６の先端部に設けられたガイドピン３９をガイドするように構成されている。
【００７６】
これにより、譜面立て連動部材３８は、実施形態１と同様、楽器本体１の前面側に突出した状態の鍵盤部１２が楽器本体１内に起立して収納されるときに、譜面立て部材３６のガイドピン３９を譜面立てガイド溝６７における立上り溝部６７ａ内の上部から下部にガイドした後、譜面立てガイド溝６７における傾斜溝部６７ｂ内の前側上部（図２０では左側上部）から奥側下部（図２０では右側下部）にガイドすることにより、譜面立て部材３６を鍵盤部１２に対し横倒させて鍵盤部１２に重ね合わせるように構成されている。
【００７７】
また、この譜面立て連動部材３８は、起立した状態の鍵盤部１２が横倒して複数の鍵１３が楽器本体１の前面側に突出するときに、譜面立て部材３６のガイドピン３９を譜面立てガイド溝６７における傾斜溝部６７ｂ内の奥側下部（図２０では右側下部）から前側上部（図２０では左側上部）にガイドした後、譜面立てガイド溝６７における立上り溝部６７ａ内の下部から上部にガイドすることにより、譜面立て部材３６を鍵盤部１２に対し起立させ、この起立した譜面立て部材３６で楽器本体１の鍵盤開口部９を鍵盤部１２と共に塞ぐように構成されている。
【００７８】
この場合にも、譜面立て部材３６は、実施形態１と同様、その前面３６ａが楽器本体１の前面、つまり楽器本体１の側板４の前端面４ａおよび上前板７の前面と同じ曲率で形成されて緩やかに湾曲する凸曲面に形成されている。また、この譜面立て部材３６の前面３６ａにも、実施形態１と同様、譜面台４１が折り畳み可能に取り付けられている。さらに、この譜面立て部材３６の先端部における中間部分にも、実施形態１と同様、２つの補助ガイドローラ４２が設けられている。
【００７９】
このような鍵盤楽器においても、実施形態１と同様の作用効果があるほか、特に楽器本体１内に直接、鍵盤部１２を回転連結部１４により起立横倒可能に取り付けると共に、鍵盤部１２の回転動作に連動して譜面立て部材３６を鍵盤部１２に対し起立横倒させる譜面立て連動部材３８も、楽器本体１内に直接設けているので、実施形態１のようなユニットケース１１が不要となり、部品点数の削減を図ることができると共に、低コスト化をも図ることができる。
【００８０】
なお、上記実施形態２では、楽器本体１における側板４の内面に鍵盤取付部材６０と譜面立て取付部材６１とを取り付け、この鍵盤取付部材６０に、回転連結部１４の軸取付穴６３、回転規制部材２４の規制溝６４、および制動部材２８の第１、第２ラックギア６５、６６を設け、譜面立て取付部材６１に譜面立て連動部材３８の譜面立てガイド溝６７を設けた場合について述べたが、これに限らず、楽器本体１における側板４の内面に、直接、回転連結部１４の軸取付穴６３、回転規制部材２４の規制溝６４、制動部材２８の第１、第２ラックギア６５、６６、および譜面立て連動部材３８の譜面立てガイド溝６７を設けた構成でも良い。
【００８１】
また、上記実施形態１、２では、鍵盤ケース２０の底面２０ａと譜面立て部材３６の前面３６ａとが、楽器本体１の前面つまり楽器本体１の側板４における前端面の凸曲面４ａおよび上前板７の前面と同じ曲率で緩やかに湾曲する凸曲面に形成されている場合について述べたが、これに限らず、鍵盤ケース２０の底面２０ａと譜面立て部材３６の前面３６ａとを、楽器本体１の側板４における前端面の凸曲面４ａおよび上前板７の前面と異なる曲率の凸曲面に形成しても良い。また、これに限らず、鍵盤ケース２０の底面２０ａと譜面立て部材３６の前面３６ａとを平坦面に形成しても良く、さらに凹曲面に形成しても良い。
【００８２】
なおまた、上記実施形態１、２では、楽器本体１の下前板８が楽器本体１のほぼ中間部分に位置する上部から楽器本体１の下端部に位置する下部に向けて緩やかに湾曲する凹曲面に形成されている場合について述べたが、これに限らず、楽器本体１の下前板８を、楽器本体１の前面、つまり楽器本体１の側板４の前端面４ａおよび上前板７の前面と同じ曲率で形成されて緩やかに湾曲する凸曲面に形成しても良い。
【図面の簡単な説明】
【００８３】
【図１】この発明を適用した鍵盤楽器の実施形態１を示した正面図である。
【図２】図１の鍵盤楽器の側面図である。
【図３】図１の鍵盤楽器の平面図である。
【図４】図１の鍵盤楽器において鍵盤部を楽器本体内に収納した状態を示した正面図である。
【図５】図４の鍵盤楽器の側面図である。
【図６】図４の鍵盤楽器の平面図である。
【図７】図５の状態における鍵盤楽器の分解斜視図である。
【図８】図７の鍵盤ユニットの分解斜視図である。
【図９】図１のＡ−Ａ矢視における鍵盤楽器の断面図である。
【図１０】図４のＢ−Ｂ矢視における鍵盤楽器の断面図である。
【図１１】図１０の状態で操作ペダルを踏み込んで鍵盤部を少し前側に傾けた状態を示した鍵盤楽器の断面図である。
【図１２】図１１の状態で鍵盤部を更に前側に傾けた状態を示した鍵盤楽器の断面図である。
【図１３】図８のユニットケースにおける補強板の内面を示した図である。
【図１４】図１３の回転連結部の軸取付孔、回転規制部材の規制溝、および制御部材の第１、第２ラックギア溝を示した要部の拡大図である。
【図１５】図１３のＣ−Ｃ矢視における要部の拡大断面図である。
【図１６】図１３のＤ−Ｄ矢視における要部の拡大断面図である。
【図１７】図８における譜面立て部材の補助ガイドローラを示した要部の拡大斜視図である。
【図１８】図９のペダル連動部材の要部を示した拡大図である。
【図１９】この発明を適用した鍵盤楽器の実施形態２を示した分解斜視図である。
【図２０】図１９の楽器本体における側板の内面を示した図である。
【図２１】図２０の鍵盤取付部材を示した要部の拡大正面図である。
【図２２】図２０のＥ−Ｅ矢視における要部の拡大断面図である。
【図２３】図２０のＦ−Ｆ矢視における要部の拡大断面図である。
【符号の説明】
【００８４】
１  楽器本体
２  鍵盤ユニット
４  側板
４ａ  凸曲面
７  上前板
９  鍵盤開口部
１１  ユニットケース
１２  鍵盤部
１３  鍵
１４  回転連結部
２０  鍵盤ケース
２０ａ  底面
２３  支持軸
２４  回転規制部材
２６  ストッパーピン
２７、６４  規制溝
２８  制動部材
３０、３１  第１、第２ダンパ軸
３２、３３  第１、第２ピニオンギア
３４、３５、６５、６６  第１、第２ラックギア
３６  譜面立て部材
３６ａ  譜面立て部材の前面
３７  譜面立て支持軸
３８  譜面立て連動部材
３９  ガイドピン
４０、６７  譜面立てガイド溝
４２  補助ガイドローラ
４５  操作ペダル
４６  ペダル連動部材
６０  鍵盤取付部材
６１  譜面立て取付部材
【図１】
2008209570.tif 000003
【図２】
2008209570.tif 000004
【図３】
2008209570.tif 000005
【図４】
2008209570.tif 000006
【図５】
2008209570.tif 000007
【図６】
2008209570.tif 000008
【図７】
2008209570.tif 000009
【図８】
2008209570.tif 000010
【図９】
2008209570.tif 000011
【図１０】
2008209570.tif 000012
【図１１】
2008209570.tif 000013
【図１２】
2008209570.tif 000014
【図１３】
2008209570.tif 000015
【図１４】
2008209570.tif 000016
【図１５】
2008209570.tif 000017
【図１６】
2008209570.tif 000018
【図１７】
2008209570.tif 000019
【図１８】
2008209570.tif 000020
【図１９】
2008209570.tif 000021
【図２０】
2008209570.tif 000022
【図２１】
2008209570.tif 000023
【図２２】
2008209570.tif 000024
【図２３】
2008209570.tif 000025